(57)【要約】【課題】給電中において隣接する冷凍コンテナの接触等によりケーブルに過大な力がかかっても損傷することがなく、給電しないときは邪魔にならぬよう確実に天井側へ吊り上がる構造の給電ケーブルを提供する。【解決手段】幹線１から分岐された支線５と、機器に取付けられる引掛コネクタ１３を一端に備えた中間ケーブル１２とを有し、支線５と中間ケーブル１２とが平刃コネクタ６と平刃プラグ１１とにより嵌合されて中間ジョイント部１５を形成し、中間ケーブル１５に過度の張力がかかると平刃コネクタ６と平刃プラグ１１とが分離する構成とする。【選択図】      図１
2006136182.tif 000002
【特許請求の範囲】
【請求項１】
幹線から分岐された支線と、機器に取付けられる引掛コネクタを一端に備えた中間ケーブルとを有し、前記支線と前記中間ケーブルとが前記支線の先端に取付られた平刃コネクタと、前記中間ケーブルの他端に取付られた平刃プラグとにより嵌合されて中間ジョイント部を形成し、前記中間ケーブルに過度の張力がかかると前記中間ジョイント部の前記平刃コネクタと前記平刃プラグとが分離することを特徴とする給電ケーブル。
【請求項２】
前記幹線が天井吊り金具と固定されると共に、前記天井吊り金具には巻取リールが取付けられ、前記平刃コネクタが前記巻取リールから伸縮自在に設けられたワイヤーと接続されていることを特徴とする請求項１記載の給電ケーブル。
【請求項３】
前記中間ケーブルの外周に、プロテクタ用帯バネが形成されていることを特徴とする請求項１記載の給電ケーブル。
【請求項４】
前記中間ジョイント部の前記平刃コネクタと前記平刃プラグとが分離する際の分離力が、前記巻取リールの引出し張力よりも大きく、かつ、前記中間ケーブル、前記平刃コネクタ及び前記平刃プラグが損傷する張力よりも小さいことを特徴とする請求項２記載の給電ケーブル。
【請求項５】
前記巻取リールからのワイヤーの引出し長さは、前記平刃コネクタを含めた前記支線のケーブル長より短く形成されていることを特徴とする請求項２記載の給電ケーブル。
【請求項６】
前記巻取リールが脱落防止チェインと連結され、更にリール取付金具を介して前記天井吊り金具と接続されていることを特徴とする請求項２記載の給電ケーブル。
【請求項７】
前記中間ジョイント部が前記機器の上側の角部より上部に配置されていることを特徴とする請求項２記載の給電ケーブル。
【発明の詳細な説明】
【技術分野】
【０００１】
本発明は、冷凍コンテナ等に給電するケーブルに係り、特に、給電中においてケーブルに過大な力がかかっても損傷することがなく、かつ給電しないときは邪魔にならぬように確実に天井側へ吊り上がる構造の給電ケーブルに関するものである。
【背景技術】
【０００２】
図８に、冷凍コンテナへ電力を給電するための給電ケーブルの例を示す。
この給電ケーブル３０は、天井吊り金具２に結束バンド３により固定された幹線１から分岐すると共に、支持体３２の周りに螺旋状に巻かれたカールコード３３を使用し、このカールコード３３の先端に給電用の引掛コネクタ１３を取り付けたものである（カールコードにつき、特許文献１参照）。
【０００３】
この給電ケーブル３０は、カールコード３３により上下に伸縮可能とされ、冷凍コンテナ２４に給電する際には、給電ケーブル３０先端の引掛コネクタ１３を引張り、冷凍コンテナ２４の給電部２５に挿入する。
【０００４】
給電後は、給電部２５から給電ケーブル３０先端の引掛コネクタ１３を取外すと、カールコード３３が収縮して天井側へ吊り上がり、作業の邪魔にならない構造となっている。
【特許文献１】特開２００１−３５８４７２号公報
【発明の開示】
【発明が解決しようとする課題】
【０００５】
しかしながら、図８に示す給電ケーブル３０を用いて給電後、誤って引掛コネクタ１３を取外し忘れて冷凍コンテナ２４を移動してしまうと、給電ケーブル３０に過大な張力かかかり、給電ケーブル３０に張力かかかった状態で冷凍コンテナ２４の角部に接して、こすれ損傷する場合があった。更に、ケーブルの断線、あるいは天井からケーブルの脱落等、大きな事故につながる可能性があった。
【０００６】
また、給電中に、隣接する他の冷凍コンテナと接触した場合も、同様な事故が生じる可能性があった。
【０００７】
更に、このような事故の結果、本来給電しない（使用していない）時は、天井側へ吊りあがり邪魔にならない構造にもかかわらず、給電ケーブル３０が絡まったり、カールコード３３が伸びきってしまったりして天井側へ吊り上がらずに、本来の機能を果たさなくなり邪魔になってしまうことがあった。
【０００８】
従って、本発明の目的は、給電中において隣接する冷凍コンテナの接触等によりケーブルに過大な力がかかっても損傷することがなく、給電しないときは邪魔にならぬよう確実に天井側へ吊り上がる構造の給電ケーブルを提供することにある。
【課題を解決するための手段】
【０００９】
上記課題を解決するため、本発明の給電ケーブルは、幹線から分岐された支線と、機器に取付けられる引掛コネクタを一端に備えた中間ケーブルとを有し、前記支線と前記中間ケーブルとが前記支線の先端に取付られた平刃コネクタと、前記中間ケーブルの他端に取付られた平刃プラグとにより嵌合されて中間ジョイント部を形成し、前記中間ケーブルに過度の張力がかかると前記中間ジョイント部の前記平刃コネクタと前記平刃プラグとが分離することを特徴とする。
【００１０】
前記幹線を天井吊り金具と固定すると共に、前記天井吊り金具には巻取リールを取付け、前記平刃コネクタを前記巻取リールから伸縮自在に設けられたワイヤーと接続することが好ましい。
【００１１】
前記中間ケーブルの外周に、プロテクタ用帯バネを形成することが好ましい。
【００１２】
前記中間ジョイント部の前記平刃コネクタと前記平刃プラグとが分離する際の分離力を、前記巻取リールの引出し張力よりも大きく、かつ、前記中間ケーブル、前記平刃コネクタ及び前記平刃プラグが損傷する張力よりも小さくすることが好ましい。
【００１３】
前記巻取リールからのワイヤーの引出し長さを、前記平刃コネクタを含めた前記支線のケーブル長より短く形成することが好ましい。
【００１４】
前記巻取リールを脱落防止チェインと連結し、更にリール取付金具を介して前記天井吊り金具と接続することが好ましい。
【００１５】
前記中間ジョイント部を前記機器の上側の角部より上部に配置することが好ましい。
【発明の効果】
【００１６】
本発明の給電ケーブルによれば、冷凍コンテナに給電する最中にケーブルに過大な力がかかってもケーブルが損傷することがなく、かつ給電しないときは邪魔にならぬよう確実に天井側へ吊り上がるものとなる。
【発明を実施するための最良の形態】
【００１７】
以下、本発明の実施形態について添付図面を参照しつつ説明する。
（給電ケーブルの全体構造）
図１に、本実施形態の給電ケーブルの構造を示す。
この給電ケーブルは、天井吊り金具２に結束バンド３により固定された幹線１から分岐された支線５と、冷凍コンテナに取付けられる引掛コネクタ１３を一端に備えた中間ケーブル１２とを有している。支線５と中間ケーブル１２とは、支線５の先端に取付られた平刃コネクタ６と、中間ケーブル１２の他端に取付られた平刃プラグ１１とにより嵌合され、中間ジョイント部１５を形成している。
【００１８】
また、平刃コネクタ６は、リール取付金具８により天井吊り金具２と取付けられている巻取リール７から伸縮自在に設けられたワイヤー１０と接続されている。巻取リール７は脱落防止用の脱落防止チェイン９とも連結され、リール取付金具８を介して天井吊り金具２と接続されている。
なお、中間ケーブル１２の表面にはプロテクタ用の帯バネ１４が形成されている。
【００１９】
（中間ジョイント部）
図２に、給電ケーブルにおける中間ジョイント部１５を中心とした構成を更に示す。
中間ジョイント部１５は、中間ケーブル１２に過大な力がかかった場合、図２に示すように、平刃コネクタ６から平刃プラグ１１が分離脱落する構造となっている。
【００２０】
この中間ジョイント部１５の分離力は、巻取リール７の引出し力より大きく、中間ケーブル１２、平刃コネクタ６及び平刃プラグ１１が損傷する張力より小さくされる。具体的には、使い勝手の点から１０ｋｇｆ以下とすることが望ましい。
【００２１】
（巻取リール）
図３に、巻取リール７の拡大図を示す。
巻取リール７には、脱落防止金具１７を介してリール取付金具８が取り付けられ、図１に示す天井吊り金具２との接続がワンタッチで出来るようになっている。また、必要により脱落防止金具１７には脱落防止用の脱落防止チェイン９が連結されており（図１参照）、過大な張力がかかった場合にも脱落を防止できるようにされている。
【００２２】
また、巻取リール７には所定の巻取力を有するワイヤー１０が設けられ、かかる巻取力を超える張力が与えられるとワイヤー１０が引き出される。なお、ワイヤー１０には巻取りの際に過度の収縮防止のためにストッパ１９が設けられている。
ここで、所定の巻取力は、ワイヤー１０に接続される平刃コネクタ６と、中間ケーブル１２、引掛コネクタ１３、及びプロテクタ用帯バネ１４との合計重量を超えるものとされる。
【００２３】
更に、巻取リール７からのワイヤー１０の引出し長さは、支線５のケーブル長より(平刃コネクタ６を含め)短く形成されている。このため、巻取リール７のワイヤー１０が伸びきった状態でケーブルに張力が掛かると、中間ジョイント部１５(平刃コネクタ６と平刃プラグ１１)の接続が抜け、分離するようになっている。
【００２４】
（給電ケーブルの使用方法）
図４を参照して、本実施形態の給電ケーブルの使用方法を説明する。
まず、図１に示す構造の複数の給電ケーブル２０を幹線１端末の引掛プラグ２２によりコンセントに取付けることによりセットし、コンセントから給電する。
【００２５】
コンプレッサ２６を有する冷凍コンテナ２４へ電力を供給するには、冷凍コンテナ２４の上方に位置している給電ケーブル２０を引張り、巻取リール７からワイヤー１０を引き出して、給電ケーブル２０先端部の引掛コネクタ１３を冷凍コンテナ２４の給電部２５にセットする。
【００２６】
給電終了後は、引掛コネクタ１３を冷凍コンテナ２４の給電部２５から取り外す。すると、巻取リール７の巻取力によりワイヤー１０が巻取られ、ケーブルが上昇して冷凍コンテナ２４の邪魔にならぬ位置まで確実に天井側へ吊り上がる。
【００２７】
給電中に、ケーブルに過大な力がかかった場合には、巻取リール７のワイヤー１０が伸びきった状態でケーブルに張力が掛かる。このため、中間ジョイント部１５(平刃コネクタ６と平刃プラグ１１)の接続が抜け、分離する。よって、ケーブルの損傷、断線、あるいは天井からケーブルの脱落等の大きな事故を防止できる。また、給電ケーブル２０が絡まったり、天井側へ吊り上がらなくなったりすることがなく、確実に天井側へ吊り上がる機能を十分に発揮させることができる。
【００２８】
また、中間ジョイント部１５が分離する引抜き力を一定にするため、中間ジョイント部１５は、冷凍コンテナ２４の角より上部に位置することが望ましい。
更に、中間ジョイント部１５が分離後の支線５先端の平刃コネクタ６の吊下げ位置は、作業者の手の届く位置でかつ冷凍コンテナ２４の扉の開閉時に挟まない位置とすることが望ましい。
【００２９】
（給電ケーブルの取り付け方法）
図５及び図６を参照して、本給電ケーブルの取付け方法を説明する。
まず、天井の所定箇所に、天井吊り金具２を取り付ける（図５（ａ））。
次に、幹線１から分岐した支線５の先端に予め平刃コネクタ６を取付けた形態のケーブルを、天井吊り金具２の所定の結束位置に結束バンド３で固定する（図５（ｂ））。
次に、巻取リール７を天井吊り金具２に取付け、巻取リール７のワイヤー１０先端を平刃コネクタ６に引掛ける。巻取リール７は、脱落防止チェイン９を介して、又は直接リール取付金具８と接続され、このリール取付金具８により天井吊り金具２に取付けられる（図５（ｃ））。
【００３０】
次に、支線５が巻回された状態で結束バンド３１によりワイヤー１０と固定する（図６（ａ））。この結束バンド３１による固定は、必ずしも必要なものではないので、固定しない場合もある。
更に、冷凍コンテナに接続する引掛コネクタ１３を先端に有する中間ケーブル１２の平刃プラグ１１を平刃コネクタ６と接続し（図６（ｂ））、給電ケーブルを完成させる（図６（ｃ））。
【００３１】
（本給電ケーブルが奏する効果）
（１）ケーブルに過大な張力が掛かっても中間ジョイント部１５で分離するので安全である。
（２）給電中において隣接する冷凍コンテナの接触等によりケーブルに過大な力がかかってもケーブルが損傷することがない。
（３）給電終了後に、従来のように給電ケーブルが絡まったり、伸びきったりすることがない。このため、給電しないときは邪魔にならぬよう確実に天井側へ吊り上げることができる。
（４）巻取リール７と天井吊り金具２との接続がワンタッチで可能であり、脱落防止策を含め容易である。
（５）巻取リール７からのワイヤー１０の引出し長さが、支線５のケーブル長より(平刃コネクタ６を含め)短く形成されているので、過度の引張力が掛かってもその引張力の全てが直接支線５にかからず、安全である。
（６）中間ケーブル１２には、プロテクタ用帯バネ１４が形成されているため、ケーブルに外力を加えても損傷することがない。
【００３２】
（他の実施形態）
本実施形態では、ケーブルが天井から吊り下がる関係で引掛コネクタ１３をＬ型状のものとしたが、ストレート形状のものでもよい。
また、本実施形態では、巻取リールを用いた構造としたが、同様の機能を奏するものであれば引張バネ等を用いた構造でもよい。
また、本実施形態では、ケーブルが天井から吊り下がる構造としているが、設置環境に応じて壁面等からケーブルを引き出す構造とすることもできる。
【実施例】
【００３３】
図７に示すように、中間ジョイント部１５を冷凍コンテナ２４の上角部に対し上（ａ）あるいは下（ｂ）の位置に配置し、それぞれについて角度θを０〜９０°の範囲で変えた場合に、中間ジョイント部１５の引抜き力Ｆ1，Ｆ2がどのように変化するかを実験した。結果を表１に示す。
【００３４】
【表１】
2006136182.tif 000003
【００３５】
表１の結果より、中間ジョイント部１５が冷凍コンテナ２４の上角部に対し上にある場合（ａ）、角度θが変化しても引抜き力Ｆ1は変化しないが、中間ジョイント部１５が下にある場合は、角度θが大きい程、引抜力Ｆ2が大きくなった。これより、中間ジョイント部１５を冷凍コンテナ２４の上角部に対し上に配置した方が好ましいことが明らかとなった。
【図面の簡単な説明】
【００３６】
【図１】本発明の一実施形態の給電ケーブルの構造を示す正面図である。
【図２】図１の中間ジョイント部を中心とした構成を示す正面図である。
【図３】図１の巻取リールの構成図であり、（ａ）は正面図、（ｂ）は側面図である。
【図４】本実施形態の給電ケーブルの説明図である。
【図５】本実施形態の給電ケーブルの取付け方法の説明図である。
【図６】本実施形態の給電ケーブルの取付け方法の説明図である。
【図７】実施例の試験方法の説明図である。
【図８】従来の給電ケーブルの構造を示す正面図である。
【符号の説明】
【００３７】
１  幹線
２  天井吊り金具
３  結束バンド
４  分岐ケーブル
５  支線
６  平刃コネクタ
７  巻取リール
８  リール取付金具
９  脱落防止チェイン
１０  ワイヤー
１１  平刃プラグ
１２  中間ケーブル
１３  引掛コネクタ
１４  プロテクタ用帯バネ
１５中間ジョイント部
１７  脱落防止金具
１９  ストッパ
２０  給電ケーブル
２４  冷凍コンテナ
２６  コンプレッサ
３０  給電ケーブル
３１  結束バンド
３２  支持体
３３  カールコード
【図１】
2006136182.tif 000004
【図２】
2006136182.tif 000005
【図３】
2006136182.tif 000006
【図４】
2006136182.tif 000007
【図５】
2006136182.tif 000008
【図６】
2006136182.tif 000009
【図７】
2006136182.tif 000010
【図８】
2006136182.tif 000011